Podtech/llm-jp-corpus-v4-ja_patent huggingface dataset:
(57)【要約】【課題】全反射率が光の波長の違いで低下する一般の反射材（アルミ、ＰＥＴ等は、ＬＥＤ素子の光を均一かつ、高反射させることが不可能。したがって  ＬＥＤライティングパネルの要件である「均一な光で、高照度」の反射材としては不適当。【解決手段】ＬＥＤライティングパネルが必要とする「均一高照度」を可能にする、銀被膜の反射材を導光板の反射材とし、かつパネル面を高照度とするためにＬＥＤケース内のＬＥＤ点灯方式を間接照明タイプとして、ＬＥＤのルーメンを最大限に利用する形状とする。【選択図】図１ｂ
2013058461.tif 000002
【特許請求の範囲】
【請求項１】
銀被膜のアルミ反射材ＬＥＤライティングパネル。
【請求項２】
前記の反射材による  請求項１のＬＥＤケース。
【発明の詳細な説明】
【技術分野】
【０００１】この発明は、ＬＥＤライティングパネルの形状に関する。
【背景技術】
【０００２】従来のＬＥＤライティングパネルの形状は、図２に示すように、ＬＥＤ素子をパネルの両端あるいは片側に「直接照明方式」で取り付け、導光板と反射材でパネル面を光らせる形状・構造であり、ＬＥＤ素子の構造やＬＥＤの光の特性を考慮したものでない。
【先行技術文献】
【特許文献】
【０００３】
【非特許文献】
【０００４】
【発明の概要】
【発明が解決しようとする課題】
【０００５】しかしながら、以上の技術によれば、ＬＥＤ素子の明るさは、従来の蛍光灯型のライティングパネルの照度にすることは出来なかった。
また、従来の反射材は、ＬＥＤ素子の色の違いによる波長に対処が難しく、可視光線領域の赤から紫までの様々な色の変化の内、全反射率が２０−２５％減少することから、パネル面を均一な光でかつ明るく照明することができない。
そこで、この発明は、この課題を解決し、ＬＥＤライティングパネルが、従来のライティングパネルに替わる次世代の照明として、看板照明、標識照明および一般照明等、様々な分野で利用出来るＬＥＤライティング照明を提供することを課題とする。
【課題を解決するための手段】
【０００６】  以上の課題を解決するために、第一発明は、反射材が、あらゆるＬＥＤの光を９５％程度の全反射率で均一に反射させる「シルバー、銀被膜の反射材」とした。これを便宜的に「均一高反射」と呼ぶ。
また、第二発明は、照度の大幅な増加を目的に、  ＬＥＤ素子を直接照明で導光板に反射させる形状から、第一発明と同一素材の反射材を集光タイプの形状に変え、ＬＥＤ素子を間接照明として導光板と組合せた。
【発明の効果】
【０００７】  第一発明によれば、従来のライティングパネル用反射材の可視光線領域（５００〜１２５０ｎｍ）の全反射率（９０〜７５％と不均一）を、ＬＥＤ素子の色の違いに無関係に全反射率を９５％の均一な状態にすることができる。
【図面の簡単な説明】
【０００８】
【図１】  この発明の一実施形態を示す断面図である。図１ａ，ｂ
【図２】  従来技術を示す断面図である。
【発明を実施するための形態】
【０００９】  この発明の一実施形態を、図１に示す。
ＬＥＤライティングパネル反射材の本体はアルミ製であり、「均一高反射」を実現させるために、アルミ材の中央部分に「銀被膜」を施している。この本体とは別に、ＬＥＤ素子と組み合わせる反射ケースを、ＬＥＤ素子のルーメンを最大限に利用でき、照度向上に繋がる間接照明タイプの形状とする。
【実施形態の効果】
【００１０】  この実施形態によれば、ＬＥＤ素子の光が反射ケース内の反射材に反射し、高照度になった状態で導光板裏面の反射材を屈折反射する事で、従来のＬＥＤライティングパネルでは不可能な「均一高反射」「高照度」な照明となる。
【図１ａ】
2013058461.tif 000003
【図１ｂ】
2013058461.tif 000004
【図２】
2013058461.tif 000005
(57)【要約】【課題】本発明は、多数のＬＥＤを使用しても使用している全部のＬＥＤが一度に切れない限りＬＥＤ蛍光灯が点灯することを提供する。【解決手段】半透明の合成樹脂ベースと、そのベース内部にＬＥＤ点灯回路を備える基板と、基板上にＬＥＤソケツトを列設し、そのＬＥＤソケツトにＬＥＤを差込取付た事からＬＥＤを交換可能にしたＬＥＤ蛍光灯である。この回路は、基板上にＬＥＤ点灯回路を並列回路にし１個のＬＥＤが切れても他のＬＥＤは切れず、切れたＬＥＤを交換する回路とした。【選択図】図３
2013115034.tif 000002
【特許請求の範囲】
【請求項１】
一般にＬＥＤ用いたＬＥＤ照明機器であって、基板上に複数のＬＥＤソケットを並列に列設し、これらのＬＥＤソケットにＬＥＤを脱着する為にカバーを取り外し可能な形に形成し、電源を外部電源とし、停電時においては図４の外部電源の＋と−に電池の＋と−をそれぞれ接続することによりＬＥＤが点灯するＬＥＤ照明機器。
【発明の詳細な説明】
【技術分野】
【０００１】  本発明は、発光ダイオード（ＬＥＤ）を交換できるＬＥＤ照明機器に関するものである。
【背景技術】
【０００２】  従来のＬＥＤ照明機器は、ＬＥＤ蛍光灯管が一体化されＬＥＤは直列に配線で構成されている。【０００３】  しかしながら、従来のＬＥＤ蛍光灯はＬＥＤが切れた時、ＬＥＤ蛍光灯全体が切れる欠点があった。
【先行技術文献】
【０００４】
【特許文献１】  特開２０１０−９２９９０
【発明の概要】
【発明が解決しようとする課題】
【０００５】  従来ＬＥＤ照明機器は点灯するためＡＣ／ＤＣの変換器、そしてトランス及び制御装置を接続しなければならず、点灯させるＬＥＤを直列に配線され１個のＬＥＤが切れればＬＥＤ蛍光灯管が切れるという問題があった。
本発明は、以上の問題点を解決するためになされたものである。
【発明が解決するための手段】
【０００６】  一般にＬＥＤを用いたＬＥＤ照明機器であって、基板上に複数のＬＥＤソケットを並列に列設し、これらのＬＥＤソケットにＬＥＤを脱着する為にカバーを取り外し可能な形に形成し、電源を外部電源とする。
以上を特徴するＬＥＤ照明機器である。
【発明の効果】
【０００７】  ＬＥＤを並列配線と、外部電源にすることにより、切れたＬＥＤのみを交換することができ交換部品のコスト低減につながり、ＬＥＤ照明機器は点灯する。
【図面の簡単な説明】
【０００８】
【図１】本発明の実施例を示す分解図
【図２】図１の断面図
【図３】本発明のＬＥＤ交換方法を示す斜視図
【図４】本発明を駆動させる状態を示す接続図
【図５】本発明の別の実施例を示す斜視図
【図６】本発明実施例におけるＬＥＤ交換方法を示す斜視図
【発明を実施するための形態】
【０００９】  以下、本発明の形態を図に基づいて説明する。
一般にＬＥＤ用いたＬＥＤ照明機器であって、基板（４）上に複数のＬＥＤソケット（５）を並列に列設し、これらのＬＥＤソケット（５）にＬＥＤ（６）を脱着する為にカバー（７）を取り外し可能な形に形成し、電源を外部電源（１１）とする。
以上を特徴するＬＥＤ照明機器である。
本発明は以上の構成で、これを実際に使用する時には以下の様にする。
図１は、この発明ＬＥＤ照明機器の１実施例を示し、
（イ）ベース（１）の溝に基板（４）を取り付ける。基板（４）にはＬＥＤソケット（５）を配設している。
（ロ）ベース（１）に接触子ａ（８）と接触子ｂ（９）を取り付けた固定カバー：左（２）と固定カバー：右（３）を取り付ける。
（ハ）基板（４）に配設されているＬＥＤソケット（５）にＬＥＤ（６）を取り付ける。
（ニ）ベース（１）にカバー（７）取り付ける。
構造の斜視図であるり、図４はその断面図である。
【００１０】  図３は本発明を使用するとき、切れたＬＥＤ（６）を交換するときベース（１）からカバー（７）を取り外し、切れたＬＥＤ（６）のみをＬＥＤソケット（５）を取り外し新規ＬＥＤ（６）をＬＥＤソケット（５）に差込み取り付ける。ベース（１）にカバー（７）を取付る・
構造のＬＥＤ交換方法の斜視図である。
【００１１】  図４は、この発明ＬＥＤ照明機器を駆動させる１実施例を示し、
ＬＥＤ回路（１０）と、スイッチ（１２）及び外部電源（１１）を接続しスイッチをＯＮ・ＯＦＦすることにより駆動する接続図である。
なお、上記の外部電源（１０）が供給できない場合電池等を接続することにより駆動することができる。
【００１２】  図５に示す実施例では、
（ホ）ベース（１３）に基板（１４）とＬＥＤソケツト（５）を配設しした基板（１４）を取付ける。
（ヘ）基板（１４）に配設されているＬＥＤソケット（５）にＬＥＤ（６）を取り付ける。
（ト）ベース（１３）にカバー（１５）取り付ける。
構造の斜視図である。
【００１３】  図６は本発明を使用するとき、切れたＬＥＤ（６）を交換するときベース（１３）からカバー（１５）を取り外し、切れたＬＥＤ（６）のみをＬＥＤソケット（５）から取り外し新規ＬＥＤ（６）をＬＥＤソケット（５）に差込み取り付ける。ベース（１３）にカバー（１５）を取付る。
構造のＬＥＤ交換方法の斜視図である。
【符号の説明】
【００１４】１  ベース
２  固定カバー：左
３  固定カバー：右
４  基板、
５  ＬＥＤソケット
６  ＬＥＤ
７  カバー
８、接触子ａ
９、接触子ｂ
１０、ＬＥＤ回路
１１、外部電源
１２、スイッチ
１３、ベース
１４、基板
１５、カバー
【図１】
2013115034.tif 000003
【図２】
2013115034.tif 000004
【図３】
2013115034.tif 000005
【図４】
2013115034.tif 000006
【図５】
2013115034.tif 000007
【図６】
2013115034.tif 000008
(57)【要約】【課題】災害時や停電などで外部電力がないとき、屋外や屋内での使用が出来る、節電に対応した発電機を提供する。【解決手段】モーター始動で発電させ、エンジン（内燃機関）を使用しないので、屋外や屋内での使用が出来る、クリーンな再生可能な電気エネルギーが得られる。【選択図】図１
2013115992.tif 000002
【特許請求の範囲】
【請求項１】
停電などで外部電力がないときは自家発電装置として使用して、二次電池の消耗などで使用出来なくなった時は、外部電力より少しの電力を供給することで、多くの電力を得る節電型発電機として使用出来る。
【請求項２】
充電してある二次電池より、モーターに電力を供給し発電機を回転させ、発電した電力の一方を二次電池に充電し、充電した電力をモーターに供給することで、安定した電力を得る事が出来る自家発電装置になる。
【発明の詳細な説明】
【図面の簡単な説明】
【０００１】
【図１】図１、外部電力からモーターに電力を供給することで、節電型発電機の構成図である。図２、充電してある二次電池よりモーターに電力を供給することで、自家発電装置の構成図である。
【図１】
2013115992.tif 000003
(57)【要約】【課題】スターリングエンジンで排ガス二酸化炭素問題を解決する。【解決手段】スターリングエンジンで車を走らせる。【選択図】図１
2013036455.tif 000002
【特許請求の範囲】
【請求項１】
太陽光で光を集めその熱でスターリングエンジンを回す。
【請求項２】
パネルで太陽光を集めスターリングエンジンを回す。
【請求項３】
ソーラークッカーのパネルでスターリングエンジンを回す。
【請求項３】
車、船、飛行機の上にソーラークッカーのパネルをのせる。
【請求項４】
動力を使う全てのエンジンに適用。
【請求項５】
クッカーパネルで沸かしたお湯、もしくは、この蒸気でスターリングエンジンを回す。
【発明の詳細な説明】
【技術分野】
【０００１】自動車
【発明の概要】
【発明が解決しようとする課題】
【０００２】スターリングエンジンで排ガス二酸化炭素問題を解決する。
【課題を解決するための手段】スターリングエンジンで車、船を走らせ、飛行機を飛ばす。
【発明の効果】地球温暖化が解消される。
【図面の簡単な説明】
【０００３】
【図１】本発明の実施形態を示す太陽光スターリング自動車、飛行機、船の図面。
【図１】
2013036455.tif 000003
【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
太陽光で光を集めその熱でスターリングエンジンを回す。
【請求項２】
パネルで太陽光を集めスターリングエンジンを回す。
【請求項３】
ソーラークッカーのパネルでスターリングエンジンを回す。
【請求項４】
車、船、飛行機の上にソーラークッカーのパネルをのせる。
【請求項５】
動力を使う全てのエンジンに適用。
【請求項６】
クッカーパネルで沸かしたお湯、もしくは、この蒸気でスターリングエンジンを回す。
(57)【要約】【課題】浮力を応用とした発電なので公害等に心配がなく積極的に提供できる。【解決手段】水に浮く力を応用とした発電で下部の受皿に水を入れて水封されているので、上部のバルプが閉止であれば下部のバルプを開けても真空により水漏れすることが無い。【選択図】図１
2013036457.tif 000002
【特許請求の範囲】
【請求項１】
水槽の上部、下部に開閉バルプを二ヶ所、下部受皿に水にて水掛させ、羽根車を回転させて浮缶を次々に送り、歯車にて発電機に連動させる。
【発明の詳細な説明】
【技術分野】
【０００１】この発明は水に浮く、浮缶をぐるぐる巡回させて羽根車を回転させて発電させる装置である。
【背景技術】
【０００２】この発明は放射能やＣＯ２を出さない地球にやさしい発電である。
【先行技術文献】
【０００３】
【特許文献１】
【非特許文献１】
【発明の概要】
【発明が解決しようとする課題】
【０００４】従来数多くの発電の方法があるが欠点や危険を伴うので、本発明はその様な事を解決できる。
【課題を解決するための手段】
【０００５】本発明は水槽、浮缶、羽根車、歯車、開閉バルプ、突出しシリンダー、発電機以上の構成による浮力発電である。
【発明の効果】
【０００６】水、浮缶、羽根車、発電機のコンビネーションでメンテナンスが簡単である。
【図面の簡単な説明】
【０００７】
【図１】本発明の断面図である。
【図２】本発明の断面図である。
【発明を実施する為の形態】
【０００８】本発明の形態について説明する。
水槽の下部のみバルプを閉止する上部の配管より水を８０％位注入する。
その後下部の受皿にも水を注入して水封する。
その後上部バルプ、下部バルプを交互に作動させ心要に応じて、突出シリンダーで浮缶を押込み、羽根車を回転させ発電機に連動させる。
【符号の説明】
【０００９】１．浮缶                  ４．突出しシリンダー        ７．水槽
２．羽根車                ５．発電機
３．開閉バルプ            ６．歯車
【図１】
2013036457.tif 000003
【図２】
2013036457.tif 000004
(57)【要約】【課題】現在何を置ても原子力発電を無さなければ成ないと思います。昨今のテレビでも放送されて居る様に実際に色々な生物や植物に対して目に見えない放射能やＣＯ２などの産業廃棄物は何としても無さなければ成りません。【課題を解決する手段】何が何でも原子力発電に依存しなくても良いエネルギーの発見なのです。其のエネルギーが築発電機なのです。一日も早く、人畜無害で何人にも簡単に動かせる「築発電機」でこそ日本が世界の人々に胸を張って進められると思います。〔地球と月の無限の引力の応用です〕【選択図】図１
2013036458.tif 000002
【特許請求の範囲】
【請求項１】
築発電機は月と地球の相互の引力を応用して海水の滿潮干潮を利用し築電をする方法です。
【請求項２】
築発電機は其の築電したエネルギーを其のまま蓄電出来る機械なのです又蓄電して置いてて電気の量は減る事もありません
【請求項３】
築発電機はエネルギーが何にも要らないのです。本当に無から電気を発生させる機械です
【発明の詳細な説明】
【技術分野】月と地球の引力を応用し海水の干滿の差を利用して２４時間で２回の海水の上げ下げ〔２４時間で４回〕の可動が可能です
又潮の干滿の間に４５分の潮止が有りますので其の間に発電も出来ますが、機械の事を考えると２日に１回の発電が良いと考えて居ます。築発電機の生命とも言える。
ゼンマイとスプリングの事です。新しい形のスプリングやゼンマイは出来あがると思いますが最初の機械の使用一番大切だと思います。
【発明が解決する課題】
現在日本が為へき課題は震災の復興と原子力発電を無くす事だと思います。
電力は必らずこの築発電機が課題を解決して呉ると思います。
【課題を解決する為の手段】
原子力発電を無くする為に不足する電力を得る為にわ石油石炭ガスなとは絶対に駄目です。
日本は海岸線が世界一多い國です築発電気。大陽光発電風力発電で充分に可能だと思います。
一日も早く放射能も一酸加炭素も無い日本にして下さい。
【図面の簡単な説明】
【図１】  図１の（ａ）は正面図、（ｂ）は側面図です。
【符号の説明】  部品をＡＢＣであらわして有りますので部品名を説明します。
〔Ａ〕＝築発電用シャフト
〔Ｂ〕＝発電用プーリー
〔Ｃ〕＝築電柱
〔Ｄ〕＝スプリングとゼンマイの固定シャフト
〔Ｅ〕＝安全管理用蓋
〔Ｆ〕＝築発電機内の水用弁
〔Ｇ〕築発電機を２台以上連結する部品です
〔Ｈ〕ゼンマイ及スプリングです
〔Ｋ〕滑車
【図１】
2013036458.tif 000003
【図１】
2013036458.tif 000004
【手続補正書】
【提出日】平成23年10月28日(2011.10.28)
【手続補正１】
【補正対象書類名】図面
【補正対象項目名】全図
【補正方法】変更
【補正の内容】
【図１（ａ）】
2013036458.tif 000005
【図１（ｂ）】
2013036458.tif 000006
(57)【要約】      （修正有）【課題】従来の木造住宅は、外部から基礎に熱が伝わりやすく、基礎の上部で換気を行う結果、夏は暑く１階でも寝苦しく、冬は反対に冷たくなる問題があり、このような木造住宅に対し、少ない電力で快適な居住空間を構成できる住宅を提供する。【解決手段】木造建物の外壁を地面まで落として、建物全体を外気と気密状態にし、室内から地中へパイプを挿通し、パイプを介して、地中の四季を通して安定的な温度を室内に取り込んで、快適な室内環境を構築する。【選択図】図２
2013036318.tif 000002
【特許請求の範囲】
【請求項１】
基礎から屋根までまるごと通気のエコ住宅
【発明の詳細な説明】
【発明の詳細な説明】
今までの木造住宅に通気の家はあるが基礎の上部からであります。近代木造住宅の基礎は耐震重視の為に多くの鉄筋が使われる為に多くの熱が伝わり、夏は暑く１階でも寝ぐるしく冬は反対に冷たくなります。今回の通気は基礎までつつみ込み基礎下の地中の安定的な温度の空気とつながり四季を通じて安定温度のエコ住宅となります
【図面の簡単な説明】
【図１】東立面図    外壁を地面までおとし建物全体を空気層でおおう
【図２】北立面図    地熱を取り入れる基礎が直接外気にふれないので地下の空気がより                温度変化がない
【図３】一階平面図  １Ｆ基礎と地下と空気層とパイルを表わす
【図４】地下平面図
【図１】
2013036318.tif 000003
【図２】
2013036318.tif 000004
【図３】
2013036318.tif 000005
【図４】
2013036318.tif 000006
(57)【要約】【課題】  女性の胸回りを締め付けることなく、バストを姿よく保持しながら、夏季の体感温度を下げられるように、女性衣料の前身頃にポケットブラジャーを設けた、バックレスブラジャー付き女性衣料を提供する。【解決手段】  女性衣料の前身頃（１）に胸当て布（２）を設け、胸当て布（２）に、ブラジャーパッド（３）の出し入れが容易なブラジャーポケット（４）を設けた、ポケットブラジャー付き女性衣料を特徴とする。【選択図】図１
2013036153.tif 000002
【特許請求の範囲】
【請求項１】
女性衣料の前身頃（１）に胸当て布（２）を設け、布（２）にブラジャーパッド（３）を有する乳房受けポケット（４）を設けたブラジャー付き女性衣料。
【発明の詳細な説明】
【技術分野】
【０００１】  この発明は、女性衣料の前身頃に胸当て布を設け、その布にブラジャーパッドを有するポケット布を設けたブラジャー付き女性衣料に関するものである。
【背景技術】
【０００２】  従来、女性は、気温３０℃を超える夏の季節もブラジャーを着用し、その上にインナーと上衣を重ね着していた。
【先行技術文献】
【０００３】
【特許文献１】
【非特許文献１】
【発明の概要】
【発明が解決しようとする課題】
【０００４】  この装いには、次のような欠点があった。
従来、ブラジャー着用時の締め付け感と、ブラジャー内の発汗による夏季特有の不快感が生まれていた。近年の地球温暖化による気温の上昇は、この現象を一層深刻なものにしている。
女性の乳房を守るという使命をもったブラジャーと女性衣料の重ね着は、女性の胸回りを熱く窮屈な環境へと追い込んでいるのである。
本発明は以上のような欠点をなくすためになされたものである。
【課題を解決するための手段】
【０００５】  女性衣料の前身頃（１）に胸当て布（２）を設け、胸当て布（２）の左右に、ブラジャーパッド（３）を有する乳房受けポケット（４）を設ける。
本発明は、以上の構成よりなるポケットブラジャー付き女性衣料である。
【発明の効果】
【０００６】  ブラジャーが女性衣料の前身頃と一体になっているので、ブラジャーのバックバンドを必要としない。よって、胸回りの締め付けは解消され、胸当て布に設けた乳房受けポケットによって、乳房を支え、安定させることができる。また、ニット生地によって設けられた胸当て布全体がブラジャーの役目を果たすため、乳房がブラジャーパッドのサイズ（Ｓ，Ｍ，Ｌ）よりも多少大きくても小さくてもブラジャーを着用した効果がある。むしろ、パッドにゆとりがあるほうが、より涼しく着用できる。
胸当て布の胸幅サイズは、前身頃の胸幅と同サイズである。ゆえにこのポケットブラジャーは身体にゆとりを保ちながら、形よく乳房を安定させることが可能なのである。
従来、３枚のアイテムを重ね着するところを、半数としたため、夏季の日常着として猛暑日にも活用できるものとなった。
【図面の簡単な説明】
【０００７】
【図１】  本発明の表側斜視図である。
【図２】  本発明の裏側正面図である。
【発明を実施するための形態】
【０００８】  以下、本発明を実施するための形態について説明する。
女性衣料上衣の前見頃（１）に、ニット生地による胸当て布（２）を設ける。胸当て布（２）の左右に、既製のブラジャーパッド（３）が出し入れ可能なブラジャーポケット（４）をニット生地で作り、縫い付ける。胸当て布（２）の下端にゴムを通し、アンダーバストサイズに適応させる。
このポケットブラジャー（５）を上衣の前身頃（１）に合わせ、通常に仕立て、縫製する。
本発明は以上のような構造である。
これを着用するのは、猛暑日が最も有効である。気温の変化によって、肌寒さを覚えるときは、本衣料の上にもう一枚羽織って、ブラジャー付きインナー衣料として活用できる。
また、ノースリーブや長袖のインナーに直接ブラジャーポケットを設けると、ブラジャー付きインナーとなる。
【符号の説明】
【０００９】１  女性衣料上衣の前見頃
２  胸当て布
３  ブラジャーパッド
４  ブラジャーポケット
５  ポケットブラジャー
【図１】
2013036153.tif 000003
【図２】
2013036153.tif 000004
(57)【要約】      （修正有）【課題】女性の胸回りの熱さと窮屈さを防止するブラジャー付き女性衣料を提供する。【解決手段】女性衣料上衣の前身頃１にニット生地による胸当て布２を設け、胸当て布２の左右に、既製のブラジャーパッド３が出し入れ可能なニット生地のブラジャーポケット４を縫い付けた女性衣料である。【選択図】図１
2013036155.tif 000002
【特許請求の範囲】
【請求項１】
パットの表面全体にエンボス加工が施され、折り目部分は３本線のドット線を配し、折り目線を真ん中にし、そのドット線を底辺部分に設定し、各両面ずつ台形型をドット線で形成する特徴をもつわき汗パット。
【請求項２】
前記のわき汗パットにおいて、表層面にエンボス加工が施されて、中心部の折り目と表面のエンボス加工が台形の形になるように施し、汗を吸収するわき汗吸収パットの中心部分を形成した請求項１に記載のわき汗パット。
【発明の詳細な説明】
【技術分野】
【０００１】本発明は、わき汗を吸収するパットに関するものである。
【背景技術】
【０００２】従来のわき汗パットでは折り目部分の凹みが実線であり、また汗吸収部分にエンボス加工が施されていないものである。
【先行技術文献】
【特許文献】
【０００３】
【特許文献１】特開２００９−１２１０００
【発明の概要】
【発明が解決しようとする課題】
【０００４】しかしながら従来の技術では、折り目部分の凹みが実線のため、汗の吸収範囲を狭め、汗吸収の妨げになる。また従来の技術では汗を最も吸収する中心部分とその他の部分に境界線がなくエンボス加工も施されていないため、汗をせき止められずに衣服に汗が付着するという問題があった。これらの問題を解決することを課題とする。
【課題を解決するための手段】
【０００５】第一発明は、わき汗吸収パットの汗が最も付着する中心部分の折り目をドット線にし、ドット線の間から汗が中心部から外側へ流れる形にした。第二発明は、ハート型エンボス加工をわき汗吸収パットの表面に施し、さらに中心部の折り目と表面のエンボス加工が台形の形になるように施し、汗を吸収するわき汗吸収パットの中心部分を作る。
【発明の効果】
【０００６】第一発明により、折り目の部分にも汗がよく吸収され、その部分に溜まった汗がパットの外側へと流れ、汗をよりよく吸収させることができた。また第二発明により、最も汗が溜まる中心の汗吸収部分が拡大され、わき汗パット全体が汗で濡れ、汗を吸収し衣服への汗の付着を防ぐという商品本来の機能性を改善した。
【図面の簡単な説明】
【０００７】
【図１】わき汗パットの平面図である。
【発明を実施するための形態】
【実施例】
【０００８】図１は、わき汗パットの平面図を示している。
Ａが折り目のドット線になっている。Ｂはエンボス加工になっている。Ｃはパットの中心部を示している。パットの材質は特に限定はないが、ポリプロピレン不織布が望ましい。パットの形状については、特に限定はないが、パット半分の形状が７コブの曲線になり、もう片方も７コブの曲線が望ましい。パット形状をコブにする事で、外側から見たパット装着の見た目を最大限に抑える効果がある。またパット表面にエンボス加工を施すことにより、汗の極度の流出を防ぐ。ドット線は平行に３本の折り目を配し、各片面ずつパット中心部を台形型に形成している。
【符号の説明】
【０００９】Ａはわき汗パットの折り目を示す。Ｂはエンボス加工を示す。Ｃはパットの中心部を示す。
【図１】
2013036155.tif 000003
(57)【要約】【課題】今まで、空調室外機の効率を高める方法として、水や霧を空調室外機の熱交換フィンに直接かけるか、エリミネーター状の吸水性の悪い、表面積の少ない素材を加工して、組み合わせる事で、室外機の吸込温度を下げる方法があったが、水道料金がかかりすぎたり、シリカ等が付着してフィンが著しく劣化する問題があった。【解決手段】この発明は、吸水性の良い材質で、表面積の大きいクーリングパッドを使用することにより、空調室外機の吸込温度の低温度化、吸気湿度の高湿度化を実現して空調機の効率を高め省エネルギー化を計る。水槽・ポンプを用いて１台〜複数台のクーリングパッドの循環システムを構築することにより水道料金は蒸発した分の補給水分だけとなる。フィンに直接水を掛けないで、さらにフィルター効果もあることから空調室外機のフィンの劣化防止になる。【選択図】図２
2013036727.tif 000002
【特許請求の範囲】
【請求項１】
クーリングパッドを空調室外機の吸込口に設置すること。
【請求項２】
空調室外機にクーリングパッド等の機器を設置した場合、水は循環させる方式をとり、補給水は蒸発した分だけとする。
【発明の詳細な説明】
【技術分野】
【０００１】空気調和設備のエアコン冷房運転時に空調室外機に入る吸込温度を下げ、かつ吸込湿度は上げて省エネルギー化を計る間接式補助冷却システム。
【背景技術】
【０００２】クーリングパッド内で水を循環させることにより、そこを通過する室外機の吸込温度が気化潜熱で外気温度よりも下がり、かつ加湿効果により冷房能力の向上を計る。水を循環させることにより、補給水は蒸発した水の分だけとなる。
【発明の概要】
【発明が解決しようとする課題】
【０００３】今まで、空調室外機の効率を高める方法として、水や霧を空調室外機の熱交換フィンに直接かけるか、エリミネーター状の吸水性の悪い、表面積の少ない素材を加工して組み合わせる事で、室外機の吸込温度を下げる方法が一般的である。いずれの方法も、水を掛け流しのため水道代が多くかかり、さらに水道水に含まれるカルシウムやシリカ等により５年ほどで熱交換フィンが白く目詰まりして能力が激減することになった。
【課題を解決するための手段】
【０００４】この発明は、吸水性の良い材質で、表面積を大きく開発したクーリングパッドに水を循環させるシステムのことである。クーリングパッドの形状はハニカム状になっていて、通気性も優れていることから使用した。水や霧を空調室外機の熱交換フィンに直接かけることなく、空調室外機の吸気口に設置する。
【発明の効果】
【０００５】クーリングパッドを利用することにより、室外機吸込温度が下がり同時に湿度が上がるため冷房能力の向上・省エネルギー化が計れる。直接水を掛けないことにより、室外機のフィンの劣化防止を計る。空調室外機の外気取入れ口に設置するため、日陰効果が得られる。水を循環させているためフィンの汚れ防止のフィルター効果が得られる。この装置の最大能力を発揮されるのが、夏季の高温時で、空調装置としてデマンドピーク時と重なるため、多くの施設のデマンド値を下げる効果がある。
【図面の簡単な説明】
【０００６】空調室外機の吸込面全体に同等寸法のクーリングパッドが接続された斜視図である。直、水槽には補給水が、ポンプには電源１００Ｖが必要です。
【図１】１台のルームエアコン用室外機の吸込口にクーリングパッドが接続された斜視図である
【図２】３台のクーリングパッドにより、業務用空調室外機に循環水システムを構築された斜視図である
【発明を実施するための形態】
【０００７】新設空調室外機の場合は、当初より設置寸法を確保もしくは空調室外機に組み込む。既設の空調室外機の場合は、クーリングパッドの寿命と空調室外機の寿命を考慮して設置する。
【実施例】
【０００８】１台〜１１台程度のクーリングパッドのグループを作り、そのグループの大きさに合わせた水槽・ポンプを用いて水の循環システムを形成する。水槽には蒸発水を補うための補給水を入れる。水槽には、フィルター効果としてのゴミが溜まるため清掃を行う。
【産業上の利用可能性】
【０００９】冷凍機や乾燥機等を含む全ての空調室外機の能力向上に使用することが出来る。
【図１】
2013036727.tif 000003
【図２】
2013036727.tif 000004
(57)【要約】【課題】      水素爆発対策【解決手段】  水素爆発による放射性物質の周辺地域への飛散を防ぐ原子炉建屋のコンテナとしてコンポジットで構成した超大型ドームを原子炉容器の水素爆発対策格納容器とする。【選択図】      図１
2013242167.tif 000002
【特許請求の範囲】
【請求項１】
原子炉、格納容器の水素爆発による放射性物質の周辺地域への飛散を防ぐ原子炉建屋のコンテナとしてコンポジットで構成した超大型ドームの水素爆発対策格納容器。
【請求項２】
超大型ドームの有する蝶つがいとばねにより、原子炉建屋のコンテナの形状を一時的に蝶つがい中心に傾いた超大型ドームとし、ばねによりすぐ復元する事を水素場爆発の水素逃しへの対応とした事を特徴とする請求項１記載の超大型ドームの水素爆発対策格納容器。
【発明の詳細な説明】
【技術分野】
【０００１】
本発明は、従来の原子炉の工学的安全施設としての格納容器及び原子炉建屋の構造としての水素爆発対策格納容器に関する。
【背景技術】
【０００２】
福島原発事故対策は、原子炉の上部のふたを開け放射性物質の周辺地域への飛散を防ぐため、原子炉建屋はコンテナでおおわれる予定であります。
【発明の概要】
【発明が解決しようとする課題】
【０００３】
福島原発の水素爆発では原子炉、格納容器、原子炉建屋が爆発して放射性物質の周辺地域への飛散を防ぐ事ができなかった。
【０００４】
本発明は、上記実情に鑑みてなされたものであり、水素爆発を起こす原子炉、格納容器、原子炉建屋に放射性物質の周辺地域への飛散を防ぐ前述のコンテナとしてあらかじめコンポジット（ＪＡＬ、ＡＮＡ７８７採用）で超大型ドームを設けた構成である。 
【課題を解決するための手段】
【０００５】
上記目的を達成するため発明は、原子炉容器の格納容器として、原子炉建屋のコンテナとした蝶つがい、ばねで超大型ドームの開きと傾きを作る超大型ドーム（コンポジット、ＪＡＬ、ＡＮＡ７８７採用）も構成に含まれる。
【発明の効果】
【０００６】
本発明により、水素爆発による放射性物質の周辺地域への飛散を防ぐ原子炉容器の水素爆発対策格納容器とできる。
【図面の簡単な説明】
【０００７】
【図１】本発明の水素爆発対策格納容器。
【発明を実施するための形態】
【０００８】
本発明の形態の一例について、図面を参照しながら説明する。
水素爆発対策格納容器は図１に示すように超大型ドーム１、原子炉建屋２、圧力容器３、原子炉５、格納容器４、蝶つがい６、ばね７の構成である。
【符号の説明】
【０００９】
１,1’.   超大型ドーム（コンポジットＪＡＬ、ＡＮＡ７８７採用）
２．    原子炉建屋
３．    圧力容器
４．    格納容器
５．    原子炉（外された原子炉のふた）
６．    蝶つがい
７．    ばね
【図１】
2013242167.tif 000003
(57)【要約】【課題】傘の水滴処理装置には、未解決の問題が有った。園児も傘をさし、公共の場所に入るが既存の装置では、身長が低い為に利用できなかった。容器内で水滴を空気の噴射等で剥離するか、有害な物質を含む雨水と共に収納袋に入れて屋内に持ち込み、袋が破損した場合には雨水が床面に排出されるなどの処理機が主流である。従来の技術では、水滴の剥離状況が確認出来ず、また装置内で傘が開閉するなど、無理に取り出すと傘が破損する恐れもあった。本発明の課題は、これ等の問題点を解決するものである。【解決手段】傘の水滴を、傘を開閉した状態で容器の中で処理せず、傘を開いたまま、傘の水滴を剥離、吸引可能にした。開いた傘を斜め下方向に設けられた接触部に接触させ、傘の柄を必要に応じただけ回転すれば、水滴は剥離または重力で自然に落下する。接触部を幼児も大人も利用できる高さに配置可能にし、幼児でも目視して剥離の状態を確認しながら利用可能とした。【選択図】図３
2013242124.tif 000002
【特許請求の範囲】
【請求項１】
傘に付着した雨水又は水滴を、傘を開いたまま、  傘布の表面に付着している水滴等を、傘の形状に適応可能に構成された接触部に接触させ、傘の手元を回転させるだけで、剥離落下させ自然力又は吸引力で、傘に付着した水滴を処理できる事を特徴にした水滴剥離装置。
【発明の詳細な説明】
【技術分野】
【０００１】  本発明は雨傘に付着した水滴の剥離装置に関するものである。
【背景技術】
【０００２】  雨傘に付着した、水滴の処理は、何れも動力で発生させた気流を用いて雨水を処理する装置が主流であった。傘の水滴分離等には以下のような特許文献がある。
【先行技術文献】
【０００３】
【特許文献１】特開２００６−３３７００８号（図１）
【特許文献２】特開２０１１−７５２１０号（図１、図４）
【発明の概要】
【発明が解決しようとする課題】
【０００４】従来の傘に付着した水滴処理装置は縦型であり、容器の内部で水滴等を処理すると、以下に記載の如く問題が有った。
傘をさす幼稚園児には、概ね低身長の為に構造上利用できない欠点。さらに、容器の内部は目視出来ず、感覚で操作する不確実性が有った。また傘の濡れ具合が、傘により異なるために、水滴が取れた時点を知ることが困難であった。上記の諸課題を解決するのが目的である。【０００５】本発明は、雨傘の水滴の剥離状態を目視可能にし、更に、幼稚園児でも使用可能であり、更に水滴剥離に自然力も応用できる。人力のみで水滴を処理するものである。
【課題を解決するための手段】
【０００６】この発明は、傘の水滴剥離用のワイパー等の傘との接触部を容器にて覆い隠すことなく  、傘を開いたまま利用でき、接触部を幼稚園児でも使用可能な低位置に設置し、利用者が傘の水滴の剥離の状況を、容易に確認できる水滴剥離装置を提供するものである。
【発明の効果】
【０００７】雨傘を使用する世代、年齢の高齢者、幼稚園児、身長の高低に係らず、利用者が普通に立ったままの位置で、濡れた傘を斜め下方の水滴剥離装置の方向に差し出し、傘の柄を人が回転させるだけで使用可能であり、水滴の剥離と収集に自然力をも利用でき、構成する部品点数の削減と共にエコロジーにも効果がある。
更に短時間に多くの人が利用する劇場、ホテル等ではワイパー等の接触部に負圧の空気を空気装置と連通させる機能も利用可能に構成することも出来る。
【図面の簡単な説明】
【０００８】
【図１】  接触部の側面図
【図２】  接触部の断面図
【図３】  装置の断面図
【発明を実施するための形態】
【実施例】
【０００９】傘１１をブレードラバー１、吸水材、吸着材、ブラシ等の剥離吸着材等の接触部にあて、傘の柄１２を回転させると、傘に付着していた水滴１４は傘より剥離する。上記接触部は、傘の形状に合わせ可変するように構成されている。
剥離落下した雨水等の水滴は、重力により自然に接触部の下に用意された容器８に収集される。多くの傘を大量に、短時間で処理する必要があれば、容器８に吸気装置１３を接続する事で、接触部が傘に触れた状態で、傘の柄１２を人力で回転させれば、付着した水滴１４はブレードラバー１に設けられた開口部１−ｂ空洞部１−ａから接続管３を経て容器８に収集される。
図示していないが、ブレードラバー１の接触部から吸気装置１３に連通可能にした場合には、水滴は吸気装置の負圧の空気とともに容器内に集められる。吸気装置を接続した場合、図示していないが、負圧発生のためのスイッチとして、利用者の立ち位置にマット等を置き、マットに人の荷重が掛かった時にエヤー叉は電波等で信号を送り、負圧発生器を作動させる事も出来る。更に早急に処理する場合には、接触部を複数支持部に設置する事で一段と効率が向上する。
接触部は、多種多様な傘の形状に適合するように、適応可能に柔軟性が持てるように分割小さくし配置するか、又は接触部を変形させ、傘の水滴付着部分のみを接触部に合わせ処理すると更に簡便な装置となる。
本願の、雨の水滴剥離装置は、建物のフロントサイドに予め、固定配備できるように極めて単純に構成されている。【００１０】
【産業上の利用可能性】
【００１１】傘に付着した雨の水滴分離装置は、昨今の降雨時に、大気中に分散飛遊し、雨に吸着した目視不能の放射性物質等を含む水滴を排除しないで、傘ごと屋内に持ち込むことは、健康の面からも問題である。放射能による、健康障害の防止装置としても利用価値がある。
【符号の説明】
【００１２】１      ブレードラバー（接触部）
１−ａ  空洞部
１−ｂ  開口部
２      バーティラブ
３      接続管
４      レバー
５      支持レバー
６      ピン
７      支柱
８      容器
９      石突受
１０    石突
１１    傘
１２    傘の柄
１３    吸気装置
１４    水滴
１５    傘の付着面
【図１】
2013242124.tif 000003
【図２】
2013242124.tif 000004
【図３】
2013242124.tif 000005
(57)【要約】      （修正有）【課題】鉄道用車輪の形状及び寸法の、測定値の精度の向上と作業能率の向上で効率化を図る為に、一体の測定器具で順次連続して測定する方法を提供すること。【解決手段】踏面とフランジ曲面部を測定基準とした一組の一体となった型ゲージと各測定ノギスを備えた、鉄道用車輪測定ノギスであり、型ゲージ１は、基準点となる踏面とフランジ曲面部を有し、フランジ角度測定ノギス２、車輪幅測定ノギス３，４及びフランジ高さノギスが取付けられ一組が一体化される。【選択図】図１
2013242286.tif 000002
【特許請求の範囲】
【請求項１】
車輪の踏面とフランジ曲面部を測定基準としていることを特徴とする鉄道用車輪測定ノギス。
【請求項２】
測定基準となる踏面及びフランジ曲面は型ゲージで測定する鉄道用車輪測定ノギス。
【請求項３】
フランジ面の角度は角度ノギスを用い又フランジ高さ及び車輪幅の内外は寸法ノギスを用いて測定することを特徴とする鉄道用車輪測定ノギス。
【請求項４】
車輪の各部の測定は型ゲージ及びノギスが一体となったことを特徴とする鉄道用車輪測定ノギス。
【発明の詳細な説明】
【発明の詳細な説明】
【技術分野】
【０００１】  本発明は、鉄道用車輪の検査、点検時の測定を容易にかつ確実に短時間で実施できる鉄道用車輪測定ノギスに関する。
【背景技術】
【０００２】  鉄道用車輪の各部の測定は、定規及びノギス、型ゲージを用いて一箇所づつ順次測定している。
【発明が解決しようとする課題】
【０００３】  従来の鉄道用車輪の各部の測定は一箇所づつ順次行うため、その都度、基準点から測定しなければならず、測定誤差が生じやすく時間もかかるという問題点があった。
【０００４】  本発明は、鉄道用車輪の形状及び寸法を、一体の測定器具で順次連続して測定する方法を提供することを目的としている。
【課題を解決するための手段】
【０００５】  上記目的を解決するために、本発明の鉄道用車輪測定ノギスは、踏面とフランジ曲面部を測定基準とした一組の一体となった型ゲージと各測定ノギスを備えたものである。
【０００６】  上記の鉄道用車輪測定ノギスの測定箇所は、車輪の測定しやすい一箇所の適当な位置でよい。
【０００７】  また、測定は上記の取付け後、順次連続して行うとよい。
【発明を実施するための形態】
【０００８】  以下、添付した図面によりこの発明の実施の形態を説明する。
【０００９】  図１及び図３を参照して説明すると、型ゲージ１は、車輪の踏面とフランジ曲面部の基準箇所を有し、すべての型ゲージと測定ノギスが取付けられ、数値が刻まれている。
【００１０】  フランジ角度測定ノギス２は、型ゲージ１にピンを介して回転することで車輪のフランジ角度を測定する。
【００１１】  車輪外幅測定ノギス３は、型ゲージ１を挟み込み摺動することで車輪の外幅の基準位置からの誤差を測定する。
【００１２】  車輪内幅測定ノギス４は、型ゲージ１を挟み込み摺動することで車輪の外幅の基準位置からの誤差を測定する。
【００１３】  車輪外幅測定ノギス３及び車輪内幅測定ノギス４の基準位置の目盛は０とし双方の目盛が０の場合は車輪基準全幅１２０ミリとなり３と４の誤差の和を車輪基準全幅にたすと全長の寸法を読み取ることが出来る。
【００１４】  フランジ高さ測定ノギス５には、目盛りが刻まれ型ゲージ１に取付けられたガイドを介して摺動させ、高さを測定する。
【発明の効果】
【００１５】  本発明に従って構成された鉄道用車輪測定ノギスによれば、測定機器を一体化することで各箇所の測定を、その都度基準点から行う問題が無くなり、測定値の信頼向上と効率化が図られる機器が提供される。
【図面の簡単な説明】
【図１】  本発明に従って構成された鉄道用車輪測定ノギスの正面図
【図２】  側面図
【図３】  背面図
【図４】  図１のＡ−Ａ矢印方向に見た断面図
【図５】  図１のＢ−Ｂ矢印方向に見た断面図
【図６】  図３のＣ−Ｃ矢印方向に見た断面図
【符号の説明】  １  型ゲージ
２  フランジ角度測定ノギス
３  車輪外幅測定ノギス
４  車輪内幅測定ノギス
５  フランジ高さ測定ノギス
６  摺動ガイドＡ
７  摺動ガイドＢ
【図１】
2013242286.tif 000003
【図２】
2013242286.tif 000004
【図３】
2013242286.tif 000005
【図４】
2013242286.tif 000006
【図５】
2013242286.tif 000007
【図６】
2013242286.tif 000008
(57)【要約】【課題】原子力施設から放出された放射能セシウムが含まれた廃棄物や瓦礫の処理に、困っている現状がある。【解決方法】放射能セシウムに汚染された廃棄物や瓦礫を１１００℃以上の溶融炉に投入して、スラグ中に放射性セシウムを溶融し、その後、固化し、低ベクレル化のスラグとして回収することによって、放射能セシウムに汚染された廃棄物や瓦礫を処理して、安全安心な鉱物資源として回収することにある。【選択図】図１
2013242287.tif 000002
【特許請求の範囲】
【請求項１】
放射性セシウムが含まれている廃棄物を１１００℃〜２８００℃の溶融炉に投入することによって、放射性物質を１１００℃〜２８００℃のスラグ中に溶融し、その後、固化して、低ベクレル化のスラグとする方法。
【発明の詳細な説明】
【技術分野】
【０００１】  セシウム（Ｃｓ）は、カルシウム（Ｃａ）、ナトリウム（Ｎａ）やリチウム（Ｌｉ）と同じアルカリ金属である。【０００２】  従って、アルカリ金属の両者について、セシウム（Ｃｓ）は、１１００℃以上の溶融炉の炉内では、溶融炉スラグの主成分カルシウム（Ｃａ）と同じ挙動を示す。【０００３】  セシウム（Ｃｓ）は、カルシウム（Ｃａ）と同じように、塩基性酸化物となる。カルシウムの塩基性酸化物ＣａＯは、溶融炉スラグ中で、約数％〜４０％の割合を示し、溶融炉スラグの主成分となる。そして、水に溶けにくく、安定した鉱物となる。溶融炉スラグは、「高炉セメントの原料」や「路盤材」となり、  「有価物」となる。セシウム（Ｃｓ）も、ＣｓＯという塩基性酸化物となり、ＣａＯと同じように、安定した資源となる。【０００４】  超高温溶融炉の炉内には、スラグの主成分のＣａＯが１トンから１０トン、また、酸性酸化物のＳｉＯ２を１トンから１０トンという、沢山の原料が入っている。そこに、高濃度のセシウム（Ｃｓ）の１０，０００Ｂｑ／ｋｇが１ｋｇ混入しても、主成分の１トン（１，０００ｋｇ）のＣａＯと１トン（１，０００ｋｇ）のＳｉＯ２に固溶化されるため、
＜１，０００ｋｇ（ＣａＯ）＋１，０００ｋｇ（ＳｉＯ２）＋１ｋｇ（Ｃｓ）＝２，００１ｋｇ＞
即ち、２，００１ｋｇ中１０，０００Ｂｑとなり、
2013242287.tif 000003
となり、わずか５Ｂｑ／ｋｇとなる。更に高濃度１０万Ｂｑ／ｋｇのセシウムとしても、わずか、５０Ｂｑ／ｋｇとなる。【０００５】  実際に放射能セシウムの重量は、チェルノブイリ事故後のドイツ全土に落ちてきた高濃度Ｃｓは、わずか、その重量は５００ｇと言われており、巨大な溶融スラグに溶け込むと安定した低ベクレル化となる。【０００６】  これによって、高濃度の放射能汚染物を１００Ｂｑ／ｋｇ以下にのスラグにすることによって、安全安心な再資源化となり、セメント原料やテトラポットや路盤材の製品として利用が可能となる。
【発明の開示】
【発明が解決しようとする課題】
【０００７】  本発明の目的は、放射能セシウムに汚染された廃棄物を溶融炉に投入して、放射性セシウムを他の塩基性酸化物、例えば、カルシウムと同様に１１００℃以上で溶融し、その後、冷却固化し、低ベクレル化のスラグとして回収することを目的とする。
【課題を解決するための手段】
【０００８】  上記目的を達成するため、本発明の要旨構成は以下の通りである。
（１）放射能セシウムが含まれている廃棄物を１１００℃〜２８００℃の超高温溶融炉に投入する。【０００９】（２）炉の炉内には、スラグの主成分のＣａＯが１トンから１０トン、また、酸性酸化物のＳｉＯ２を１トンから１０トンという、沢山の原料が入っている。そこに、セシウム（Ｃｓ）の１０，０００Ｂｑ／ｋｇが１ｋｇ混入しても、主成分の１トン（１，０００ｋｇ）のＣａＯと１トン（１，０００ｋｇ）のＳｉＯ２に固溶化され、ＣａＯと同じように、安定した資源となり、スラグとして回収することによって、放射能の低ベクレル化を図り、瓦礫の処理をする。
【発明を実施するための形態】
【００１０】  溶融炉とは、Ａ．ガスバーナー、Ｂ．重油バーナー、Ｃ，電気炉、Ｄ．プラズマ燃料、Ｅ．固体燃料。を用いるものである。
【００１１】  以下、本発明の実施形態を図面を参照しながら説明する。図１は本発明に係る放射能セシウムを含んだ瓦礫の処理方法として、例えば、超高温竪型溶融炉を用いた場合について示す。
【００１２】  本発明では、放射能セシウムを含んだ瓦礫を高温（１１００℃〜２８００℃）で処理するため、超高温竪型溶融炉を用いる。
また、１１００℃とは、酸化カルシウムや酸化セシウムとともに溶融し、溶け出す温度である。これは下記の実験データ（表１）により導きだしている。
【表１】
2013242287.tif 000004
2013242287.tif 000005
さらに２８００℃とは、耐火物が溶け出す限界の温度である。
【００１３】  投入物として、東日本大震災により、福島原子力発電所から放出された放射能セシウムが含まれた瓦礫が良い。また、他の原子力関連施設から排出される放射能廃棄物が良い。
【００１４】  放射能セシウムを含んだ瓦礫や廃棄物を投入すると、アルカリ性金属なので、溶融炉スラグの主成分カルシウム（Ｃａ）と同じ挙動を示す。そして、セシウム（Ｃｓ）は、カルシウム（Ｃａ）と同じように、塩基性酸化物となる。カルシウムの塩基性酸化物ＣａＯは、高炉スラグ中で、約数％〜４０％の割合を示し、溶融炉スラグの主成分となる。そして、難水溶性で、水に溶けにくく、安定した鉱物となる。
【００１５】  そのスラグは、図１の４から排出される。
【発明の効果】
【００１６】  上述のように、従来の焼却施設、例えば、ロータリーキルンやストーカー炉、流動床では、飛灰、焼却灰が出ることによって、放射能セシウムが問題であったが、１１００℃以上の溶融炉を用いることで、超高温で溶融することによって、放射能セシウムは、カルシウムと同じ挙動を示し、塩基性酸化物となる。よって、セシウムはカルシウムと同じ塩基性酸化物となり、難水溶性で、水に溶けにくく、安定した鉱物となる。即ち、高濃度の放射能汚染物であっても、１１００℃以上の高温溶融炉でスラグ化することにより、安全安心で低ベクレルな鉱物再資源として回収できる。
【図面の簡単な説明】
【図１】放射能セシウムを含んだ瓦礫処理
【符号の説明】１    高温処理炉
２    金属含有物
３    熱分解ガス
４    スラグ
５    冷却塔
６    冷却塔
７    燃焼室
【図１】
2013242287.tif 000006